(57)【要約】      （修正有）【課題】運搬、設置及び保管が容易な個人用のサウナ装置に関する。【解決手段】床に設置され陰イオン、遠赤外線及び温熱を放出する電気マット１００と、収容空間を具備し前記電気マットの片面のふち上面に回動可能に設置され、高熱を放出するサウナ手段２００と、電気マット及びサウナ手段部に設置された電熱線の温度を制御する制御部３００と、サウナ手段の上面に着脱可能に設置されサウナ手段を通して外部に放出される熱気を遮断する遮断手段４００として構成される。【選択図】図２
2007275507.tif 000002
【特許請求の範囲】
【請求項１】
床に設置され陰イオン、遠赤外線及び温熱を放出する電気マット（100）と；収用空間を具備し、上記の電気マット（100）の片面のふちの上面に回動可能に設置され高熱を放出するサウナ手段（200）と；
前記の電気マット（100）及びサウナ手段（200）の内部に設置された電熱線の温度を制御する制御部（300）と；
前記のサウナ手段（200）の上面に着脱可能に設置され前記のサウナ手段（200）をとおして外部に放出される熱気を遮断する遮断手段（400）として構成されるのを特徴とする個人用のサウナ装置。
【請求項２】
請求項1において前記電気マット（100）は、
マットの内部に一定の間隔を置いて形成され、前記制御部（300）の動作の際、温熱を放出する電熱線と；
前記マットの上面中央に一定した大きさで形成され、陰イオン及び遠赤外線を放出する素材部（100-1）と；
前記素材部（100-1）の縦方向の両側面に沿って形成されるベルクロのループテープ（100-3）（100-5）と；
前記電気マット（100）の片面のふち上面に一定した間隔で離隔し形成される掛け金（100-７）で構成されるのを特徴とする個人用サウナ装置。
【請求項３】
請求項1において、
前記サウナ手段（200）は、
収用空間を具備し、前記素材部（100-1）の大きさと対応するよう形成される難燃性織物の半球型本体（200-1）と；
前記半球型本体（200-1）の内部に一定した間隔を置いて、前記制御部（300）の動作の際、高熱を放出する電熱線と；
前記半球型本体（200-1）の縦方向の両側下段内部に沿って着脱可能に各設置され、前記半球型本体（200-1）を支えてくれる横フレーム（200-3）と；
前記半球型本体（200-1）の内部に分解可能のように横方向に一定した間隔を置いて埋め立てられ、前記横フレーム（200-3）と着脱可能に連結され前記半球型本体（200-1）を支えてくれる縦フレーム（200-5）と；
前記半球型本体（200-1）の縦方向の片面外周面下部に沿って形成されるベルクロループテープ（200-7）と；
前記半球型本体（200-1）の縦方向の反対側外周面下段部に一定した間隔で離隔し形成される掛け金（200-9）で構成されるのを特徴とする個人用のサウナ装置。
【請求項４】
請求項1において
一方、遮断手段（400）は、
前記半球型本体（200-1）の大きさと対応に形成され熱気を遮断する四角形上の保温部（400-1）と；
前記四角形上の保温部（400-1）の縦方向の底面の片側に沿って形成されるベルクロのフックテープ（400-5）（400-７）で構成されるのを特徴とする個人用サウナ装置。
【請求項５】
請求項3項において、
前記難燃性織物の半球型本体（200-1）は、
折り畳んで保管できるのを特徴とする個人用サウナ装置。
【発明の詳細な説明】
【技術分野】
【０００１】
本発明は個人用のサウナ装置に関するものとして、より詳細には運搬、設置及び保管が容易な個人用のサウナ装置に関するものである。
【背景技術】
【０００２】
一般的にサウナ（sauna）は蒸気浴と熱気浴を合わせたもので、サウナ風呂で熱を加えて石の上に水をかけてそこから発生する水蒸気を利用してサウナすることを称する。
しかし、現代のように忙しい社会生活をする現代人にはサウナをしにサウナまで行く時間的な余裕がない事から着眼し、最近は家庭でも手軽に利用できる個人用のサウナが発明されている。
図1は一般的な個人用のサウナ装置を表した図面である。
図1に表示されるように一般の個人サウナ装置は支え板（10）と、上部蓋（20）と、制御部（30）として構成される。
前記のように構成された個人用のサウナ装置に関する実施例をより具体的に説明する。
前記の支え板（10）は温熱機能が出来るように電熱線（℃は省略する）が内蔵された電気マット（10-1）を具備している。
前記の上部蓋（20）は支え板（10）の片面に回動可能に設置され、サウナ機能が出来るよう、本体の内部に電熱線（℃は省略する）を具備している。
前記の制御部（30）は上部蓋（20）の片面の外周面に設置され、前記の電気マット（10-1）と上部蓋（20）の内部に設置された電熱線の温度を制御する。
しかし、前記のように構成された個人用のサウナ装置は家庭で保管及び使用が簡単でないという問題点があった。
また、サイズが大きくて遠距離の移動の際、不便であった。
特に従来の個人用のサウナ装置の上部蓋は折り畳んで保管できないという問題点があった。
【発明の開示】
【発明が解決しようとする課題】
【０００３】
従って本発明は、前記の従来の技術による諸般問題点を解決するために提案されたものとして、本発明の目的は運搬、設置及び保管が容易な個人用のサウナ装置を提供するのである。
【課題を解決するための手段】
【０００４】
上記した目的を達成するための本発明による個人用のサウナ装置の特徴は、床に設置され陰イオン、遠赤外線及び温熱を放出する電気マット（100）と；
収用空間を具備し前記の電気マット（100）の片面のふちの上面に回動可能に設置され高熱を放出するサウナ手段（200）と；
前記の電気マット（100）及びサウナ手段（200）の内部に設置された電熱線の温度を制御する制御部（300）と；
前記のサウナ手段（200）の上面に着脱可能に設置され前記サウナ手段（200）を通して外部に放出される熱気を遮断する遮断手段（400）として構成される。
【発明の効果】
【０００５】
以上で述べたように、本発明は電気マットとサウナ手段を簡単に設置及び、分離が可能でサウナ手段の半球型の本体にフレームを簡単に設置及び分離できることから個人用のサウナ装置の運搬、設置及び保管が容易である。
特に本発明はサウナ手段の半球型フレームを分離する場合、難燃性織物の半球型の本体上面に遮断手段の保温部を簡単に設置できるし、半球型の本体を通して外部に放出される熱気を遮断できる効果がある。
【発明を実施するための最良の形態】
【０００６】
以下、本発明による個人用にサウナ装置の正しい実施の例を添付された図面を参照に説明すると次のようである。
図2は本発明による個人用のサウナ装置を表した図面である。
図2に表示されるように本発明による個人用のサウナ装置は床に設置され陰イオン、
遠赤外線及び温熱を放出する電気マット（100）と；収用空間を具備し前記の電気マット（100）の片面のふち上面に回動可能に設置され高熱（以下“サウナ熱”と称する）を放出するサウナ手段（200）と；前記の電気マット（100）及びサウナ手段（200）の内部に設置された電熱線（℃は省略する）の温度を制御する制御部（300）と；前記サウナ手段（200）の上面に着脱可能に設置され上記サウナ手段（200）を通して外部に放出される熱気を遮断する遮断手段（400）として構成される。
【０００７】
上記のように構成を図3又は図5を参照し具体的に説明すると次のようである。
前記電気マット（100）は、
マットの内部に一定した間隔を置いて形成され上記制御部（300）の動作の際、温熱を放出する電熱線（℃は省略する）と；前記のマットの上面中央に一定した大きさで構成され陰イオン、遠赤外線を放出する素材部（100-1）と；前記素材部（100-1）の縦方向の両側面に沿って形成されるベルクロループテープ（loop tape）（100-3）（100-5）と；前記の電気マット（100）の片面のふち上面に一定した間隔で形成される掛け金（100-7）として構成される。
前記の素材部（100-1）はセラミックと天然玉で構成されるのが望ましい。
前記のサウナ手段（200）は、
収用空間を具備し、前記の素材部（100-1）の大きさと対応される難燃性織物の半球型本体（200-1）と；前記の半球型本体（200-1）の内部に一定した間隔を置いて形成される前記制御部（300）の動作の際、サウナ熱を放出する電熱線（℃は省略）と；前記の半球型の本体（200-1）の縦方向の両側の下段内部を沿って着脱可能に設置され前記の半球型本体（200-1）を支持する横フレーム（200-3）と；前記半球型本体（200-1）の内部に沿って着脱可能に設置され前記の半球型本体（200-1）を支持する横フレーム（200-3）と；前記の半球型本体（200-1）の内部に分解可能に横方向に一定した間隔を置いて埋め立てられ、前記の横フレーム（200-3）と着脱可能に連結され、前記の半球型本体（200-1）を支えてくれる縦フレームと；前記の半球型本体（200-1）の縦方向の片面の外周面下部に沿って形成されるベルクロループテープ（loop
tape）(2-00-7)と；前記の半球型本体（200-1）の縦方向の反対側の外周面下段部に一定したい間隔で離隔し形成される掛け金（200-9）で構成される。
【０００８】
また、遮断手段（400）は、
前記の半球型本体（400-1）と；前記の四角形上の保温部（400-1）の縦方向の底面の片面に沿って形成されるベルクロのフックテープ（hook
tape）(400-3)と；前記の四角形上の保温部（400-1）の縦方向の底面の反対側に一定の間隔を置いて形成されるベルクロのフックテープ（hook tape）で構成される。
上記のように構成された個人用のサウナ装置の設置及び使用過程を図6又は図7を参照し説明すると次のようである。
まず、折り畳んでいる状態のサウナ手段（200）の半球型本体（200-1）を開き、半球型本体（200-1）の内部に横方向に一定の間隔を置いて縦フレーム（200-5）を設置する。
そして、前記半球型の本体（200-1）の縦方向の両側下段内部に横フレーム（200-3）を設置するが、前記の横フレーム（200-3）を縦フレーム（200-5）の下段部に連結する。
その後、陰イオン、遠赤外線及び温熱を放出する電気マット（100）を床に位置し、また、電気マット（100）の素材部（100-1）の上面にサウナ熱を放出するサウナ手段（200）の半球型本体（200-1）を位置させる。
そして、電気マット（100）の掛け金（100-7）とサウナ手段（200）の半球型本体（200-1）に形成された掛け金（200-9）を結合する。
その後、前記の半球型本体（200-1）の上面に、前記半球型本体（200-1）を通して外部に放出される熱気を遮断するための遮断手段（400）の難燃性織物の保温部（400-1）を位置させる。
その時、遮断手段（400）のフックテープ（hook tape）（400-3）と電気マット（100）のループテープ（loop tape）（100-3）が結合し、遮断手段（400）のフックテープ（hook tape）（400-5）とサウナ手段（200）のループテープ（loop tape）（400-7）と電気マット（100）のループテープ（loop tape）（100-5）が結合する。
そして、前記の電気マット（100）及びサウナ手段（200）の半球型本体（200-1）の内部に設置された電熱線と制御部（300）を結合する。
その後、前記の制御部（300）のキー（ｋeｙ）を操作し、前記の電熱線に電気を送る。
従って、前期の電気マット（100）の電熱線は温熱を放出させ、蒸気のサウナ手段（200）の電熱線は高熱のサウナ熱を放出する。
【０００９】
一方、一定の時間後個人用のサウナ装置の使用が終わり、保管する場合は前記の制御部（300）と連結された電気マット（100）及びサウナ手段（200）の半球型本体（200-1）の電熱線を分離する。
そして、前記のサウナ手段（200）の半球型本体（200-1）の上面に結合された遮断手段（400）の難燃性織物の保温部（400-1）を除去した後、一定の場所に保管する。
その後、電気マット（100）の賭け金（100-7）とサウナ手段（200）の半球型の本体（200-1）の掛け金（200-9）を分離する。
また、半球型の本体（200-1）の縦方向両側下段の内部に設置された横フレーム（200-3）を分離すると共に半球型の本体（200-1）の内部に横方向に一定の間隔を置いて設置された横フレーム（200-5）を分離する。
その時、分離された横フレーム（200-3）と縦フレーム（200-5）を一定の場所に保管する。
また、前記の半球型本体（200-1）に設置された横フレーム（200-3）と縦フレーム（200-5）を分離させると、半球型の本体（200-1）が難燃性の織物となっていて折り畳むことが出来るので、前期のサウナ手段（200）の半球型本体（200-1）を折り畳んだ後、一定の場所に保管する。
【図面の簡単な説明】
【００１０】
【図１】一般的な個人用のサウナ装置を表した図面である。
【図２】本発明による個人用のサウナ装置を表した図面である。
【図３】図2の電気マットとサウナ手段の要部を表した図面である。
【図４】図3の横のフレームと縦のフレームの連結関係を表した図面である。
【図５】図2の遮断手段と底面を表した図面である。
【図６】図2の遮断手段の使用状態を表した図面である。
【図７】図2のサウナ手段の半球型本体を電気マットの上面に折り畳んで保管する状態を表した図面である。
【符号の説明】
【００１１】
100：電気マット  200：サウナ手段
300：制御部      400：遮断手段
【図１】
2007275507.tif 000003
【図２】
2007275507.tif 000004
【図３】
2007275507.tif 000005
【図４】
2007275507.tif 000006
【図５】
2007275507.tif 000007
【図６】
2007275507.tif 000008
【図７】
2007275507.tif 000009